(57)【特許請求の範囲】
【請求項１】
奥行を有し、顔を含む被写体の光学像を結像させるレンズと、
受光面上に結像された前記光学像に基づいて分析用の画像データを生成する撮像素子と、
前記レンズのフォーカス位置を変更させるフォーカス変更部と、
前記画像データにおける顔から顔パーツを認識する顔判定部と、
前記フォーカス変更部に、前記顔パーツに合わせて前記フォーカス位置を変更させ、前記撮像素子に、順次に複数の前記奥行が異なる前記顔パーツごとにフォーカスが合っている前記画像データを生成させる制御部と、
前記撮像素子により生成された前記画像データと、肌画像サンプルデータとを前記顔パーツごとに比較するパターン判定部と、
を具備する撮像装置。
【請求項２】
前記撮像装置は、画像を表示する表示部をさらに具備し、
前記表示部は、前記パターン判定部により比較された結果と、前記顔パーツごとに作成された当該顔パーツの拡大画像とを表示する
請求項１に記載の撮像装置。
【請求項３】
前記撮像装置は、画像を表示する表示部をさらに具備し、
前記表示部に表示される画像は、前記撮像素子によって生成された前記画像データをスルー画として表示するスルー画領域と、前記撮像素子を用いて撮像された前記顔の画像に前記パターン判定部により比較された結果を重畳した画像を表示する判定結果領域とを含む
請求項１に記載の撮像装置。
【請求項４】
前記撮像素子を用いて撮像された前記顔の画像と、前記画像における前記顔の位置の指標を示す顔ガイド枠とを表示する表示部と、
操作を検出する操作部と
を更に具備し、
前記操作部が検出した操作に応じて、前記顔ガイド枠は移動又は拡大若しくは縮小され、
前記顔判定部は、前記顔ガイド枠の位置及び大きさを利用して前記顔パーツの認識を行う、
請求項１に記載の撮像装置。
【請求項５】
奥行を有し、顔を含む被写体の光学像を結像させるレンズのフォーカス位置を変更することと、
撮像素子の受光面上に結像された前記光学像に基づいて、順次に複数の分析用の画像データを前記撮像素子に生成させることと、
前記画像データにおける顔から認識された顔パーツに合わせて、前記フォーカス位置を変更させることと、
前記撮像素子に、順次に複数の前記奥行が異なる前記顔パーツごとにフォーカスが合っている前記画像データを生成させることと、
前記撮像素子により生成された前記画像データと、肌画像サンプルデータとを前記顔パーツごとに比較することと、
を具備する撮像装置の制御方法。
【請求項６】
コンピュータに、
奥行を有し、顔を含む被写体の光学像を結像させるレンズのフォーカス位置を変更する手順、
撮像素子の受光面上に結像された前記光学像に基づいて、順次に複数の分析用の画像データを前記撮像素子に生成させる手順、
前記画像データにおける顔から認識された顔パーツに合わせて、前記フォーカス位置を変更させる手順、
前記撮像素子に、順次に複数の前記奥行が異なる前記顔パーツごとにフォーカスが合っている前記画像データを生成させる手順、
前記撮像素子により生成された前記画像データと、肌画像サンプルデータとを前記顔パーツごとに比較する手順、
を実行させるための撮像装置の制御プログラム。
【発明の詳細な説明】
【技術分野】
【０００１】
本発明は、撮像装置、撮像装置の制御方法、撮像装置の制御プログラムに関する。
【背景技術】
【０００２】
従来、肌荒れや皺等肌の情報を把握するための手段としてのさまざまな肌分析装置が提供されている。特許文献１では、顔の画像を取得し、当該画像において分析エリアを選択して、選択された分析エリアについて画像分析を行い、その分析結果を表示部に表示する顔面肌分析装置が提案されている。
【０００３】
このような肌分析手段の動作の一例として、例えば、顔パーツごとに分析エリアを設定し、顔パーツごとに肌画像を分析してそれらの結果を比較することがある。このような場合に、分析対象である複数の顔パーツを含むように、例えば、顔全体を撮影し顔全体の画像を取得することがある。ここで、顔においてそれぞれの顔パーツは異なる奥行に位置しているので、撮影時に一部の顔パーツにフォーカスが合い他の顔パーツにフォーカスが合わないことがあり得る。顔全体の画像においてフォーカスが合っていない部分は、分析用の画像として必ずしも適当とはいえない。
【０００４】
顔に限らず、奥行を有する被写体を撮影する場合に、被写体の一部にフォーカスが合わないことがあり得る。
【先行技術文献】
【特許文献】
【０００５】
【特許文献１】特開２０１２−２３２１２８公報
【発明の概要】
【発明が解決しようとする課題】
【０００６】
本発明は、奥行を有する被写体を分析するために、奥行きが異なる複数の部分の合焦した画像を容易に取得可能な撮像装置、撮像装置の制御方法、及び、撮像装置の制御プログラムを提供する。
【課題を解決するための手段】
【０００７】
本発明の一態様の撮像装置は、奥行を有し、顔を含む被写体の光学像を結像させるレンズと、受光面上に結像された前記光学像に基づいて分析用の画像データを生成する撮像素子と、前記レンズのフォーカス位置を変更させるフォーカス変更部と、前記画像データにおける顔から顔パーツを認識する顔判定部と、前記フォーカス変更部に、前記顔パーツに合わせて前記フォーカス位置を変更させ、前記撮像素子に、順次に複数の前記奥行が異なる前記顔パーツごとにフォーカスが合っている前記画像データを生成させる制御部と、前記撮像素子により生成された前記画像データと、肌画像サンプルデータとを前記顔パーツごとに比較するパターン判定部とを具備する。
【０００８】
本発明の一態様の撮像装置の制御方法は、奥行を有し、顔を含む被写体の光学像を結像させるレンズのフォーカス位置を変更することと、撮像素子の受光面上に結像された前記光学像に基づいて、順次に複数の分析用の画像データを前記撮像素子に生成させることと、前記画像データにおける顔から認識された顔パーツに合わせて、前記フォーカス位置を変更させることと、前記撮像素子に、順次に複数の前記奥行が異なる前記顔パーツごとにフォーカスが合っている前記画像データを生成させることと、前記撮像素子により生成された前記画像データと、肌画像サンプルデータとを前記顔パーツごとに比較することとを具備する。
【０００９】
本発明の一態様の撮像装置の制御プログラムは、コンピュータに、奥行を有し、顔を含む被写体の光学像を結像させるレンズのフォーカス位置を変更する手順、撮像素子の受光面上に結像された前記光学像に基づいて、順次に複数の分析用の画像データを前記撮像素子に生成させる手順、前記画像データにおける顔から認識された顔パーツに合わせて、前記フォーカス位置を変更させる手順、前記撮像素子に、順次に複数の前記奥行が異なる前記顔パーツごとにフォーカスが合っている前記画像データを生成させる手順、前記撮像素子により生成された前記画像データと、肌画像サンプルデータとを前記顔パーツごとに比較する手順を実行させる。
【発明の効果】
【００１０】
本発明によれば、奥行を有する被写体を分析するために、奥行きが異なる複数の部分の合焦した画像を容易に取得可能な撮像装置、撮像装置の制御方法、撮像装置の制御プログラムを提供できる。
【図面の簡単な説明】
【００１１】
【図１】図１は、第１実施形態に係る撮像装置の構成例の概略を示すブロック図である。
【図２】図２は、第１実施形態に係る撮像装置の外観の一例を示す模式図である。
【図３】図３は、撮像装置の第１の状態から第２の状態への遷移を説明するための図である。
【図４】図４は、第２の状態の撮像装置を用いた撮影の状況の一例を示す図である。
【図５】図５は、撮像装置の表示の一例を示す図である。
【図６】図６は、各実施形態に係る撮像装置１の動作例を示すフローチャートである。
【図７】図７は、第１実施形態に係る肌チェックモード処理の動作例を示すフローチャートである。
【図８】図８は、肌チェックモード処理における表示の一例を示す図である。
【図９】図９は、顔パーツごとの奥行について説明するための図である。
【図１０】図１０は、顔パーツ判定結果の表示の一例を示す図である。
【図１１】図１１は、第２実施形態に係る肌チェックモード処理の動作例を示すフローチャートである。
【図１２】図１２は、第２実施形態に係る肌チェックモード処理における表示の一例を示す図である。
【図１３】図１３は、第３実施形態に係る肌チェックモード処理の動作例を示すフローチャートである。
【図１４】図１４は、顔ガイド枠の移動操作の１つの例を示す図である。
【図１５】図１５は、顔パーツの大きさの変更操作の一例を示す図である。
【発明を実施するための形態】
【００１２】
［第１実施形態］
本実施形態に係る撮像装置の構成について説明する。本実施形態に係る撮像装置は、撮影者自身の顔の画像を取得し、この画像に基づいて、撮影者の肌の状態が良好であるか否かを判定する機能を有する。図１は、本実施形態に係る撮像装置１の構成の概略を示すブロック図である。撮像装置１は、図１に示すように、撮像部２と、フォーカス変更部３と、記録部５と、操作部７と、姿勢検出部８と、制御部１０と、表示部２２とを有する。表示部２２は、タッチパネル４と、表示パネル６とを有する。
【００１３】
撮像部２は、レンズ２ａと撮像素子２ｂと絞り２ｃとを有する。レンズ２ａは、１つ又は複数のレンズであり、被写体から発せられた光束に基づいて撮像素子２ｂの受光面に光学像を結像させる。撮像素子２ｂは、受光面上に結像した前記光学像に基づく画像信号（画像データ）を生成する。絞り２ｃは、光束の量を調整する。
【００１４】
フォーカス変更部３は、フォーカス位置を変更するために、レンズ２ａの位置を制御部１０から入力された信号に基づいて変化させる。フォーカス変更部３は、例えば、レンズ２ａの位置を検出するエンコーダと、レンズ２ａを移動させる駆動部とを有する。
【００１５】
記録部５は、画像データを記録する。また、記録部５は、画像データベース（ＤＢ）５ａを有する。画像ＤＢ５ａは、対象物画像と比較する検査のための基準となる画像を記録したものである。また、検査時に対象物画像と比較できるようなデータは、画像に限らない。このデータは、画像そのものでもよく、その特徴を示した特徴量でもよく、単純化された画像パターンや色やコントラストなどの数値でも良い。必ずしも、画像は、位置や拡大率を重ねて一致させることは困難であるし、露出レベルや光源やホワイトバランスによっても比較結果が変わるものである。そのため、検査のための基準となる画像は、この画像自体を拡大させたり又は縮小させたり、この画像の位置をずらしたりして、対象物画像との一致度を確認するのに適当なものであったり、露出レベルやホワイトバランスを変えることが可能になっていたりしても良い。具体的には、画像ＤＢ５ａは、ひとつの判定を行うのに比較するために条件を変えた複数画像を持っていてもよいし、色ごとに分解したデータを持っているようにしても良い。さらに、対象物の部位ごとに、画像の評価基準が変わる可能性もあるので、画像ＤＢ５ａは、対象物の部位ごとに画像を分類して記録していることが好ましい。この部位は、画像判定によって分類できる部位であることを想定している。本実施形態では、画像ＤＢ５ａは、肌画像サンプルデータを含む。この肌画像サンプルデータは、各顔パーツの種々の肌状態を表す画像のデータである。ここで顔パーツには、例えば、人の額、瞼、目尻、鼻、鼻翼、頬等が含まれる。また、肌状態には、例えば、赤ちゃん並みの肌状態、又は荒れている肌状態等が含まれる。顔の肌を判定する場合以外にも、手のひらの荒れなどを判定する用途も想定でき、この場合は、指やその付け根などをパーツ判定できるようにするなど応用が可能である。もちろん、肌状態でなくとも、傷や発疹なども判定可能にしても良い。
【００１６】
操作部７は、例えば、押圧を検出する釦、十字キー、又は、回転角を検出するダイヤル等の構成を含み、ユーザによる操作を検出して信号を出力する。これら釦等によって、後述する、レリーズスイッチ（ＳＷ）２３、前面スイッチ（ＳＷ）２６等が構成される。
【００１７】
表示部２２は、表示パネル６と、タッチパネル４とを有する。表示パネル６は、例えば、液晶ディスプレイ又は有機ＥＬディスプレイである。表示パネル６は、制御部１０より入力された画像信号に基づく画像を表示する。表示パネル６上にはタッチパネル４が設けられている。このタッチパネル４は、タッチ位置に基づく信号を出力する。
【００１８】
姿勢検出部８は、例えば、撮像装置１の上下左右の向き、すなわち、撮像素子２ｂの上下左右の向きを検出する加速度センサを有する。また、後述するように、表示部２２は、カメラ本体に対して変位する。姿勢検出部８は、カメラ本体に対する表示部２２の回転角を検出するエンコーダを有する。撮像素子２ｂの上下左右の向きとカメラ本体に対する表示部２２の回転角とを合わせて撮像装置１の姿勢と称することにする。
【００１９】
制御部１０は、Ｃｅｎｔｒａｌ  Ｐｒｏｃｅｓｓｉｎｇ  Ｕｎｉｔ（ＣＰＵ）、又はＡｐｐｌｉｃａｔｉｏｎ  Ｓｐｅｃｉｆｉｃ  Ｉｎｔｅｇｒａｔｅｄ  Ｃｉｒｃｕｉｔ（ＡＳＩＣ）等を含み、各種演算を行う。制御部１０は、顔判定部１０ａと、フォーカス制御部１０ｂと、パターン判定部１０ｃと、記録制御部１０ｄと、操作判定部１０ｅと、表示制御部１０ｆと、表示方向判定部１０ｇとを有する。
【００２０】
顔判定部１０ａは、画像に含まれる目、口等顔の特徴を検出する。顔判定部１０ａは、検出結果に基づいて、画像に含まれる顔を抽出する。また、顔判定部１０ａは、目、口等の特徴と抽出された顔とに基づいて、顔に含まれる顔パーツを抽出する。
【００２１】
フォーカス制御部１０ｂは、レンズ２ａのフォーカス位置を設定し、フォーカス変更部３にフォーカス位置に係る信号を入力する。
【００２２】
パターン判定部１０ｃは、顔パーツごとに、画像データから抽出された画像と、対応する顔パーツの肌画像サンプルデータに係る画像とを比較し、これら画像が有する特徴、例えば、色又はコントラスト等の特徴の一致の程度を判定する。
【００２３】
記録制御部１０ｄは、画像ＤＢ５ａへの画像データの読み出し及び書き込みを含む、記録部５への画像データの読み出し及び書き込みの制御を行う。
【００２４】
操作判定部１０ｅは、操作部７及びタッチパネル４から入力された信号を判定する。判定された信号に基づいて、絞り２ｃに光量を調整させたり、撮像部２に撮影を行わせたりするなど、撮像装置１の各部の動作が制御される。
【００２５】
表示方向判定部１０ｇは、姿勢検出部８により検出された撮像装置１の姿勢に基づいて、表示パネル６に表示させる画像の向き、例えば、表示の上下方向、及び鏡面表示の可否を判定する。
【００２６】
表示制御部１０ｆは、画像データに基づく画像、例えば、撮影画像、アイコン、又は後述する顔ガイド枠等の画像の表示を、表示方向判定部１０ｇの判定に基づく向きに表示パネル６に行わせる等制御する。
【００２７】
撮像装置１の外観について説明する。図２は、撮像装置１の外観を示す図である。図２（Ａ）は、撮像装置１の第１の状態の外観を示す図である。図２（Ｂ）は、撮像装置１の第２の状態の外観を示す図である。図２（Ａ）に示すように、撮像装置１は、カメラ本体２１と、表示部２２と、ヒンジ２５とを有する。
【００２８】
カメラ本体２１には、撮像部２、フォーカス変更部３、記録部５及び制御部１０等、撮像装置１の主な要素が設けられている。一方、表示部２２には、前述のとおり表示パネル６及びタッチパネル４が設けられている。ヒンジ２５は、カメラ本体２１の上面２１ｃと表示部２２の上面２２ｃとに、表示部２２がカメラ本体２１に対して回動自在となるように取り付けられている。なお、ヒンジ２５には、上述の姿勢検出部８のエンコーダが設けられることで、カメラ本体２１に対する表示部２２の回転角が検出される。
【００２９】
カメラ本体２１において、撮像部２によって撮像する方向、すなわちレンズ２ａが向く方向を前方と称し、反対方向を後方と称することにする。また、カメラ本体２１のヒンジ２５が取り付けられている方向を上方と称し、反対方向を下方と称することにする。また、カメラ本体２１の上面２１ｃを上方に向けて後方から前方を見たときに、右方及び左方を定義することにする。
【００３０】
第１の状態においては、表示部２２は、カメラ本体２１の後方に配置され、表示パネル６の表示面が後方を向く。これに対して、第２の状態においては、表示部２２は、カメラ本体２１の上方に配置され、表示パネル６の表示面は前方を向き、図２（Ｂ）に示すように上下は反転されてカメラ本体２１が天井側に位置するように用いられる。
【００３１】
本実施形態では、第１の状態においてレリーズ操作に用いられるレリーズＳＷ２３は、カメラ本体２１の上面２１ｃの右側に設けられている。このため、第１の状態においては、ユーザが撮像部２を被写体の方向に向けて撮像装置１を構えることで、表示部２２でスルー画を確認しながら、右手人差し指でレリーズＳＷ２３を操作することができる。
【００３２】
第２の状態では、レリーズＳＷ２３がカメラ本体２１と表示部２２との間に位置することになり、ユーザはレリーズＳＷ２３を操作することができない。そこで、第２の状態では、カメラ本体２１の前方の面である前面２１ａに設けられた前面ＳＷ２６が、レリーズ操作に用いられる。なお、第１の状態においては、前面ＳＷ２６は、撮像装置１のパラメータを設定するために用いられる。設定されるパラメータは、例えば、シャッタースピード、絞り値等といった光学的なパラメータである。なお、このパラメータは、コントラスト又は色の補正といった画像処理のパラメータであっても良い。
【００３３】
図２（Ｂ）に示すように、第２の状態において、表示パネル６には、パラメータ設定を行うためのアイコン６ａと、肌チェックモードを選択するためのアイコン６ｂとが表示される。
【００３４】
図３は、撮像装置１の第１の状態から第２の状態への遷移の様子の一例を示す。図３（Ａ）は、第１の状態の撮像装置１を示す。図３（Ｄ）は、第２の状態の撮像装置１を示す。図３（Ｂ）及び（Ｃ）は、第１の状態から第２の状態への遷移中の撮像装置１の状態を示す。図３（Ａ）に示す第１の状態で撮像装置１を使用していた撮像装置１を第２の状態に移行させるとき、ユーザは、カメラ本体２１を保持し、図３（Ｂ）に示すように表示部２２を上方に向けて持ち上げ、図３（Ｃ）に示すように表示部２２の表示面がカメラ本体２１のレンズ２ａの方向に向くようにする。その後、ユーザは、撮像装置１の上下を反転させて、第２の状態にする。
【００３５】
図４は、第２の状態の撮像装置１を用いた撮影の状況の一例を示す。図４に示すように、ユーザＡは、第２の状態の撮像装置１を、レンズ２ａが自身の方向を向くように把持する。このとき、スルー画が表示される表示パネル６の表示面は、ユーザＡの方向を向く。その結果、ユーザＡは、表示パネル６に表示されるユーザＡ自身の顔の大きさ又は位置等を確認しながら撮影を行うことができる。また、ユーザＡは、レンズ２ａと同じ面に配置された前面ＳＷ２６によってレリーズ操作を行うことで、片手による操作で自身を撮影することができる。
【００３６】
図５は、第１の状態及び第２の状態における撮像装置１の表示の一例を示す。図５（Ａ）は、第１の状態における表示状態を示し、図５（Ｂ）は、第２の状態における表示状態を示す。図５（Ａ）に示す第１の状態では、カメラ本体２１の前方に位置する被写体Ｂがレンズ２ａを用いて撮影され、カメラ本体２１の後方に後方を向いて配置された表示パネル６にスルー画や撮影画像が表示される。第１の状態におけるこのような表示の状態を、第１の表示状態と称する。
【００３７】
一方、図５（Ｂ）に示す第２の状態では、カメラ本体２１の前方に位置するユーザＡがレンズ２ａにより撮影され、カメラ本体２１の上方に前方を向いて配置された表示パネル６にスルー画や撮影画像が表示される。第２の状態では、第１の状態と比較して、撮像素子２ｂに対する表示パネル６の向きが反転している。そこで、第２の状態では、表示パネル６に表示される画像は、第１の状態において表示パネル６に表示される画像に対して上下が反対となるように回転されたものとなっている。さらに、鏡に写る自分を見るかのようにユーザＡが表示パネル６に表示されるスルー画を見られるように、表示パネル６に表示される画像は左右反転された画像としてもよい。このような左右反転された画像表示を鏡面表示と呼ぶことにする。このような表示の状態を第２の表示状態と称する。
【００３８】
本実施形態に係る撮像装置１の動作について説明する。図６は、本実施形態に係る撮像装置１の動作を示すフローチャートである。この撮像装置１は、例えば電源がＯＮになったとき等に動作を開始する。
【００３９】
ステップＳ１０１において、制御部１０は、撮影モードが選択されているか否かを判定する。ステップＳ１０１において、撮影モードが選択されていると判定されたとき、処理がステップＳ１０２に進む。
【００４０】
ステップＳ１０１において、撮影モードが選択されていなかったと判定されたとき、処理がステップＳ１１７に進む。制御部１０は、ステップＳ１１７において、その他のモード処理を行う。その他のモード処理では、例えば、画像を再生する再生モード等に係る処理が行われる。ここでは、その他のモード処理に関する説明を省略する。その他のモード処理が行われた後、処理がステップＳ１０１に戻る。
【００４１】
ステップＳ１０２において、制御部１０は、撮像素子２ｂにスルー画の取得を開始させる。その後、処理がステップＳ１０３に進む。
【００４２】
ステップＳ１０３において、制御部１０は、撮像装置１の状態が第２の状態であるか否かを判定する。すなわち、この処理では、姿勢検出部８の出力に基づいて、撮像素子２ｂの姿勢が上下方向に反転し、かつ、表示部２２がカメラ本体２１に対して展開しているか否かの判定がなされる。撮像装置１が第２の状態ではないと判定されたとき、すなわち、撮像素子２ｂの姿勢が上下方向に反転していない、又は、表示部２２がカメラ本体２１に対して展開していないと判定されたとき、処理がステップＳ１０４に進む。
【００４３】
ステップＳ１０４において、制御部１０は、撮像素子２ｂにより取得されたスルー画を表示パネル６に表示させる。このとき、スルー画は、第１の表示状態で表示される。
【００４４】
ステップＳ１０５において、制御部１０は、アイコンを表示パネル６に通常のレイアウトで表示する。通常のレイアウトでは、例えば、撮影モード等現在のモードの表示又は各種機能の通知のアイコン等がスルー画の表示方向と同じ向きに表示される。
【００４５】
ステップＳ１０６において、制御部１０は、前面ＳＷ２６へのユーザによる操作を検出したか否かを判定する。ステップＳ１０６において、前面ＳＷ２６がユーザによる操作を検出しなかったと判定されたとき、処理がステップＳ１０８に進む。ステップＳ１０６において、前面ＳＷ２６がユーザによる操作を検出したと判定されたとき、処理がステップＳ１０７に進む。
【００４６】
ステップＳ１０７において、制御部１０は、前面ＳＷ２６のユーザによる操作に従ってパラメータを変更する。その後、処理がステップＳ１０８に進む。
【００４７】
ステップＳ１０８において、制御部１０は、レリーズＳＷ２３が操作されたか否かを判定する。ステップＳ１０８において、レリーズＳＷ２３が操作されなかったと判定されたとき、処理がステップＳ１０１に戻る。ステップＳ１０８において、レリーズＳＷ２３が操作されたと判定されたとき、処理がステップＳ１０９に進む。
【００４８】
ステップＳ１０９において、制御部１０は、撮影動作を行い、画像データを撮像素子２ｂに取得させる。取得された画像には、一般的な画像処理が施され、処理後の画像は記録部５に記録される。その後、処理がステップＳ１０１に戻る。
【００４９】
ステップＳ１０３において、撮像装置１の状態が第２の状態であると判定されたとき、すなわち、表示部２２がカメラ本体２１に対して展開し、かつ、撮像素子２ｂの姿勢が上下方向に反転していると判定されたとき、処理がステップＳ１１０に進む。
【００５０】
ステップＳ１１０において、制御部１０は、取得したスルー画を第２の表示状態で表示パネル６に表示させる。
【００５１】
ステップＳ１１１において、制御部１０は、アイコンを表示パネル６に反転させたレイアウトで表示する。反転させたレイアウトでは、例えば、各種機能の通知のアイコンと共に、パラメータ設定のアイコン６ａと、肌チェックモードのアイコン６ｂとが、スルー画の向きと同じ向きに表示されている。
【００５２】
ステップＳ１１２において、制御部１０は、表示パネル６に表示されている肌チェックモードのアイコン６ｂがタッチされたか否か、すなわち、肌チェックモードが選択されたか否かを判定する。表示パネル６に表示されている肌チェックモードのアイコン６ｂがタッチされなかったと判定されたとき、処理がステップＳ１１３に進む。
【００５３】
ステップＳ１１３において、制御部１０は、自分撮影モードの設定を行う。自分撮影モードの設定は、第２の表示状態において、ユーザがユーザ自身を撮影する際に用いられる設定である。この設定は、例えば、パラメータ設定がアイコン６ａの操作に基づいて行わ、レリーズ操作が前面ＳＷ２６を用いて行われる設定である。
【００５４】
ステップＳ１１４において、制御部１０は、前面ＳＷ２６への押圧を検出したか否か、すなわち、レリーズ操作を検出したか否かを判定する。前面ＳＷ２６への押圧が検出されなかったと判定されたとき、処理がステップＳ１０１に戻る。前面ＳＷ２６への押圧が検出されたと判定されたとき、処理がステップＳ１１５に進む。
【００５５】
ステップＳ１１５において、制御部１０は、撮像部２に撮影動作を行い、画像データを撮像素子２ｂに取得させる。取得された画像には、一般的な画像処理が施され、処理後の画像は記録部５に記録される。その後、処理がステップＳ１０１に戻る。
【００５６】
ステップＳ１１２において、肌チェックモードのアイコン６ｂがタッチされたと判定されたとき、処理がステップＳ１１６に進む。
【００５７】
ステップＳ１１６において、制御部１０は、肌チェックモード処理を行う。その後、処理がステップＳ１０１に戻る。
【００５８】
本実施形態に係る肌チェックモード処理について説明する。図７は、本実施形態に係る肌チェックモード処理の動作を示すフローチャートである。ステップＳ２０１において、制御部１０は、肌チェックモード処理に係る表示を行う。図８は、肌チェックモード処理における表示の一例を示す図である。制御部１０は、図８に示すように、表示パネル６に表示されたスルー画上に顔ガイド枠６ｃを表示させる。この顔ガイド枠６ｃは、表示エリア、すなわち撮像エリアの大部分を示すように十分に大きく設けられる。ユーザは、顔ガイド枠６ｃに被写体である自身の顔を合わせるように撮影領域を調整する。このように、顔ガイド枠６ｃは、顔ガイド枠６ｃと顔とが重なるようにユーザに撮影させることを補助する。撮像エリアの大部分を使って顔を撮影することで、詳細な肌状態の判定を実行することができる。
【００５９】
また、ステップＳ２０１において、制御部１０は、図８に示すように、肌画像サンプル６ｅと、戻るアイコン６ｄとを表示パネル６に表示させる。肌画像サンプル６ｅは、画像ＤＢ５ａに記録されている肌画像サンプルデータに基づく画像である。本実施形態では、肌画像サンプル６ｅは、赤ちゃん並みの肌状態を表す。戻るアイコン６ｄは、肌チェックモード処理を終了させて処理をカメラ制御に戻させる指示を入力するためのアイコンである。
【００６０】
ステップＳ２０２において、制御部１０は、スルー画から顔の特徴、例えば、目又は口等の特徴に基づいて顔を検出する。
【００６１】
ステップＳ２０３において、制御部１０は、顔ガイド枠６ｃの大きさに合った顔が検出されたか否かを判定する。顔ガイド枠６ｃの大きさに合った顔が検出されたと判定されたとき、処理がステップＳ２０５に進む。顔ガイド枠６ｃの大きさに合った顔が検出されなかったと判定されたとき、処理がステップＳ２０４に進む。
【００６２】
ステップＳ２０４において、制御部１０は、戻るアイコン６ｄがタッチされたか否かを判定する。戻るアイコン６ｄがタッチされなかったと判定されたとき、処理がステップＳ２０１に戻る。戻るアイコン６ｄがタッチされたと判定されたとき、肌チェックモード処理が終了する。
【００６３】
ステップＳ２０５において、制御部１０は、顔パーツを検出する。ここで、検出の対象となる顔パーツは、例えば、額、瞼、目尻、鼻、鼻翼、頬等である。検出された顔パーツは、図８に破線で示す、額パーツ６ｃａ、右瞼パーツ６ｃｂａ、左瞼パーツ６ｃｂｂ、右目尻パーツ６ｃｃａ、左目尻パーツ６ｃｃｂ、鼻パーツ６ｃｄ、右鼻翼パーツ６ｃｅａ、左鼻翼パーツ６ｃｅｂ、右頬パーツ６ｃｆａ、及び、左頬パーツ６ｃｆｂのように、表示パネル６に表示される。本実施形態では、上記すべての顔パーツが顔から検出されたものとする。顔パーツが表示されることで、ユーザは、分析対象となった顔パーツを把握することができる。
【００６４】
ステップＳ２０６乃至ステップＳ２１１において、検出された各顔パーツについて、フォーカス位置を変更させながら撮影を行い、得られた画像に基づいて肌状態の判定を行う。フォーカス位置の設定について説明する。図９は、被写体である顔を横から見た図とレンズ２ａの位置とを模式的に示す図であり、顔パーツの奥行について説明するための図である。顔パーツは、鼻の奥行に対する額の奥行のように、それぞれ奥行が異なる。レンズ２ａのフォーカス位置がある顔パーツに合っているとき、他の顔パーツにフォーカス位置が合わないことがある。撮像装置１は、すべての顔パーツにフォーカス位置を合わせるために、顔パーツの撮影ごとにフォーカス位置を変更させる。すなわち、撮像装置１は、例えば、まず、鼻パーツ６ｃｄに合焦するようにレンズ２ａを設定して撮影を行い、次に、額パーツ６ｃａ、右鼻翼パーツ６ｃｅａ、左鼻翼パーツ６ｃｅｂに合焦するようにレンズ２ａを設定して撮影を行い、続いて、右瞼パーツ６ｃｂａ、左瞼パーツ６ｃｂｂに合焦するようにレンズ２ａを設定して撮影を行い、最後に、右目尻パーツ６ｃｃａ、左目尻パーツ６ｃｃｂ、右頬パーツ６ｃｆａ及び左頬パーツ６ｃｆｂに合焦するようにレンズ２ａを設定して撮影を行う。
【００６５】
ステップＳ２０６において、制御部１０は、顔判定部１０ａにより検出された顔パーツのうち、撮影及び肌状態の判定が未だ行われていない顔パーツのうちの何れかにフォーカスが合うようにフォーカス位置の設定を更新する。
【００６６】
ステップＳ２０７において、制御部１０は、フォーカス位置の設定に応じて、フォーカス変更部３にフォーカス位置を変更させる。
【００６７】
ステップＳ２０８において、制御部１０は、撮影動作を行い、画像データを撮像素子２ｂに取得させる。この撮影動作で得られた画像データは、ある顔パーツにフォーカスが合っている画像のデータである。
【００６８】
ステップＳ２０９において、制御部１０は、撮像素子２ｂにより取得された画像データから、フォーカス位置の設定に対応する顔パーツの部分を抽出する。すなわち、得られた画像のうちフォーカスが合っている顔パーツについて、当該画像から顔パーツの部分の画像を抽出する。
【００６９】
ステップＳ２１０において、制御部１０は、抽出された画像に基づいて、当該顔パーツの肌状態を判定する。すなわち、この処理では、抽出された顔パーツの画像と、サンプルデータの肌画像とが比較され、肌状態が判定される。ここで、比較に用いられる肌画像サンプルデータは、表示パネル６に肌画像サンプル６ｅとして表示された赤ちゃん並みの肌状態を表すものである。この判定は、抽出された顔パーツの特徴、例えば、色又はコントラスト等と、肌画像サンプルデータの特徴とを比較して、これら特徴の一致の程度に応じて行われる。
【００７０】
ステップＳ２１１において、制御部１０は、顔判定部１０ａにより検出された全ての顔パーツについて肌状態の判定が終了しているか否かを判定する。ステップＳ２１１において、全ての顔パーツについて肌状態の判定が終了していると判定されたとき、処理がステップＳ２１２に進む。
【００７１】
ステップＳ２１１において、全ての顔パーツの顔パーツ判定が終了していないと判定されたとき、処理がステップＳ２０６に戻る。すなわち、肌チェックモード処理において、顔判定部１０ａにより検出された全ての顔パーツに対して顔パーツ判定が行われるように、ステップＳ２０６及びステップＳ２１１の処理が繰り返される。
【００７２】
ステップＳ２１２において、制御部１０は、すべての顔パーツの顔パーツ判定の結果を表示パネル６に表示する。
【００７３】
判定結果の表示の一例について説明する。図１０は、顔パーツの肌状態の判定結果の表示の一例を示す。本実施形態では、肌状態の判定において、「赤ちゃん並み」の画像サンプルデータとの一致の程度が高いと判定された顔パーツに対して、特徴的な表示がなされる。例えば、図１０に示す右頬パーツ６ｃｆａは、塗り潰され、かつ、「ここは赤ちゃん並み」というテキスト表示６ｆが付加されている。一方、塗り潰されていない顔パーツは、赤ちゃん並みの画像サンプルとの色又はコントラスト等の一致の程度が高くなかったと判定された顔パーツである。なお、「赤ちゃん並み」であった顔パーツに、例えば、「良好」という表示を重ねて表示しても良い。
【００７４】
ステップＳ２１３において、制御部１０は、肌チェックモード処理の終了に対応する操作が行われたか否かを判定する。すなわち、この処理では、戻るアイコン６ｄがタッチされたか、又は、撮影されている顔Ａａが変化したか否かが判定される。顔Ａａの変化には、例えば、顔判定部１０ａにより、顔ガイド枠６ｃの大きさに合った顔が検出されなくなる変化を含む。
【００７５】
ステップＳ２１３において、肌チェックモード処理の終了に対応する操作が行われなかったと判定されたとき、処理がステップＳ２１２に戻る。
【００７６】
ステップＳ２１３において、肌チェックモード処理の終了に対応する操作が行われたと判定されたとき、処理がステップＳ２１４に進む。ステップＳ２１４において、制御部１０は、顔ガイド枠６ｃ及び、顔パーツ判定の結果の表示をクリアする。その後、肌チェックモード処理が終了する。
【００７７】
以上、本実施形態に係る撮像装置１は、顔パーツごとにフォーカス位置を合わせて撮影することで、奥行が異なる顔パーツの肌状態を分析するための複数の画像を順次に取得することができる。ユーザは、得られた複数の画像に基づいて行われる肌状態の判定結果を容易に取得することができる。
【００７８】
また、本実施形態では、被写体の顔パーツを狙ってフォーカス位置を変化させながら撮影を行ったが、焦点距離を近方から遠方まで変化させながら順次に撮影を複数回行っても、複数の分析用の画像を取得することができる。各々の顔パーツの奥行を算出してそこにフォーカス位置を合わせる動作が省略されれば、カメラ制御に係る処理が軽減される。
【００７９】
また、分析対象は、顔Ａａの肌状態に限らない。奥行を有する対象物について撮像を行い、得られた画像に基づいて分析を行うときに、本実施形態に係る技術を用いることで分析用の画像が容易に取得され得る。このように、本実施形態の撮像装置１は、顔の肌状態を分析するに限らず、他の用途にも適用され得る。つまり、この撮像装置１は、カメラを含む撮像装置以外に観察装置、検査装置に適応が可能で、スマートフォンなどのアプリにも応用可能である。つまり、この撮像装置１では、観察対象物の奥行き方向のピント位置変化や、対象物の部位ごとの特徴判定というポイントが重要である。したがって、画像検出部と画像検出で分類された画像の部位検出部と、各部位ごとに最適ピント制御を行うピント制御部と、分類された画像部位ごとに得られたピント良好画像ごとに、判定可能な判定用画像のデータベースがあれば、本発明のカバー範囲となる。なお、画像比較は、単純に重ね合わせるのみならず、そこで一致度の正確性を向上させるために、露出やホワイトバランスや位置などを調整できるようにする。また、比較結果は、必ずしも、絶対値でなくともよく、相対的な数値でも良い。
【００８０】
また、レンズ２ａにズームレンズを設ければ、本実施形態で取得された分析用の画像データと較べてさらにミクロな領域を分析するための画像データを取得することができる。
【００８１】
また、レンズ２ａに多眼レンズを設けて、画角が異なる分析用の画像データを取得しても良い。
【００８２】
［第２実施形態］
本実施形態では、顔を検出するための画面と、この顔の分析結果を表示するための画面とが表示パネル６の別の領域に表示される。なお、本実施形態に係る構成及び動作の説明において、第１実施形態の構成と同一となる部分については、その説明を省略する。
【００８３】
本実施形態に係る撮像装置１の動作について説明する。図１１は、本実施形態に係る肌チェックモード処理の動作を示すフローチャートである。ステップＳ３０１において、制御部１０は、本実施形態の肌チェックモード処理に係る表示を行う。図１２は、本実施形態に係る表示の一例を示す。図１２に示すように、制御部１０は、表示パネル６に、スルー画画面６ｇと、肌状態の判定画面６ｈとを表示させる。判定画面６ｈには、例えばスルー画の顔画像が表示され、その顔画像上に判定結果が重畳表示される。判定画面６ｈに表示される顔画像は、スルー画でなく、何れかの時点で撮影された静止画でもよい。また、ステップＳ３０１において、制御部１０は、表示パネル６に戻るアイコン６ｄを表示させる。また、制御部１０は、スルー画画面６ｇに顔ガイド枠６ｃを表示させる。
【００８４】
ステップＳ３０２において、制御部１０は、顔の特徴、例えば、目又は口等の特徴に基づいてスルー画から顔を検出する。
【００８５】
ステップＳ３０３において、制御部１０は、顔ガイド枠６ｃの大きさに合った顔が検出されたか否かを判定する。顔ガイド枠６ｃの大きさに合った顔が検出されたと判定されたとき、処理がステップＳ３０５に進む。顔ガイド枠６ｃの大きさに合った顔が検出されなかったと判定されたとき、処理がステップＳ３０４に進む。
【００８６】
ステップＳ３０４において、制御部１０は、戻るアイコン６ｄがタッチされたか否かを判定する。戻るアイコン６ｄがタッチされなかったと判定されたとき、処理がステップＳ３０１に戻る。戻るアイコン６ｄがタッチされたと判定されたとき、肌チェックモード処理が終了する。
【００８７】
ステップＳ３０５において、制御部１０の顔判定部１０ａは、顔パーツを検出する。ステップＳ３０６において、制御部１０は、顔判定部１０ａにより検出された顔パーツのうち、顔パーツ判定が未だ行われていない１つの顔パーツにフォーカスが合うようにフォーカス位置の設定を更新する。ステップＳ３０７において、制御部１０は、フォーカス位置の設定に応じて、フォーカス変更部３にフォーカス位置を変更させる。
【００８８】
ステップＳ３０８において、制御部１０は、撮影動作を行い、画像データを撮像素子２ｂに取得させる。この撮影によりある顔パーツにフォーカスが合っている画像データが取得される。ステップＳ３０９において、制御部１０は、撮像素子２ｂにより取得された画像データから、フォーカス位置の設定に対応する顔パーツの部分を抽出する。ステップＳ３１０において、制御部１０は、顔パーツ判定を行う。
【００８９】
ステップＳ３１１において、パターン判定部１０ｃにより抽出された顔パーツの画像を記録部５に記録する。抽出され記録されたこの顔パーツの画像のデータを肌拡大画像データと称する。
【００９０】
ステップＳ３１２において、制御部１０は、図１２に示すように、肌拡大画像データに基づく肌拡大画像６ｉを表示パネル６に表示させる。なお、肌拡大画像６ｉと、肌画像サンプルとは並べて表示されても良い。
【００９１】
ステップＳ３１３において、制御部１０は、肌状態の判定が終了した顔パーツについて判定の結果を判定画面６ｈに表示させる。顔パーツ判定の結果を合成した表示の一例について図１２を参照して説明する。本実施形態では、肌状態が「赤ちゃん並み」と判定された顔パーツについて、判定画面６ｈ上の当該顔パーツが塗りつぶされる。図１２は、左瞼パーツ６ｃｂｂ、左目尻パーツ６ｃｃｂ、左頬パーツ６ｃｆｂ、左鼻翼パーツ６ｃｅｂ、鼻パーツ６ｃｄ、右鼻翼パーツ６ｃｅａ及び右頬パーツ６ｃｆａが「赤ちゃん並み」の肌状態と判定されて塗り潰されている状態を表している。
【００９２】
ステップＳ３１４において、制御部１０は、検出された全ての顔パーツについて肌状態の判定が終了しているか否かを判定する。全ての顔パーツについて肌状態の判定が終了していないと判定されたとき、処理がステップＳ３０６に戻る。すなわち、顔パーツに関する肌状態の判定が、ステップＳ３０６乃至ステップＳ３１３において、次々と行われ、判定画面６ｈ上に表示される判定結果は次々と増えていく。ステップＳ３１４において、全ての顔パーツについて肌状態の判定が終了していると判定されたとき、処理がステップＳ３１５に進む。
【００９３】
ステップＳ３１５において、制御部１０は、肌チェックモード処理の終了に対応する操作が検出されるまで待機する。すなわち、戻るアイコン６ｄへのタッチ、又は、顔Ａａの変化が検出されるまで待機する。その後、処理がステップＳ３１６に進む。
【００９４】
ステップＳ３１６において、顔パーツ判定結果の表示の終了に対応する操作が行われたと判定されたとき、制御部１０は、顔ガイド枠６ｃ及び、顔パーツ判定の結果の表示をクリアする。その後、肌チェックモード処理が終了する。
【００９５】
以上、本実施形態では、顔を検出するためのスルー画画面６ｇと、この顔の分析結果を表示するための判定画面６ｈとが別の領域に表示される。ユーザは、顔パーツ判定の結果を視認しながら各操作を行うことができる。また、ユーザは、顔パーツが段々に塗り潰されていく過程を見ながら、「赤ちゃん並み」の顔パーツを把握することができる。
【００９６】
［第３実施形態］
本実施形態では、表示パネル６に表示された顔ガイド枠６ｃの位置及び大きさを変更可能である。なお、本実施形態に係る構成及び動作の説明において、第１実施形態の構成及び動作と同一となる部分については、その説明を省略する。
【００９７】
本実施形態に係る撮像装置１の動作について説明する。図１３は、本実施形態に係る肌チェックモード処理の動作を示すフローチャートである。
【００９８】
ステップＳ４０１において、制御部１０は、表示パネル６に表示されたスルー画上に顔ガイド枠６ｃを表示させる。
【００９９】
ステップＳ４０２において、制御部１０は、顔ガイド枠６ｃの位置を移動するための操作が行われたか否かを判定する。ステップＳ４０２において、顔パーツの大きさを変更させる操作が行われなかったと判定されたとき、処理がステップＳ４０４に進む。
【０１００】
顔パーツの大きさを変更させる操作が行われたと判定されたとき、制御部１０は、ステップＳ４０３において、この変更に基づいて、顔ガイド枠６ｃの位置及び大きさを変更する。その後、処理がステップＳ４０４に進む。
【０１０１】
顔ガイド枠６ｃの変更について説明する。図１４は、顔ガイド枠６ｃの移動操作の一例を示す図である。本実施形態に係る撮像装置１は、タッチパネル４におけるユーザの手Ａｂによるタッチ操作又はスライド操作を検出すると、タッチ操作又はスライド操作に応じて、顔ガイド枠６ｃの位置を移動させる。
【０１０２】
また、本実施形態では、顔パーツを検出すべき検出エリアの位置をユーザが指定することができる。図１５は、顔パーツの検出エリアの位置及び大きさの変更操作の一例を示す図である。撮像装置１は、例えば、タッチパネル４におけるユーザによるスライド操作等によって、顔ガイド枠６ｃ内において顔パーツを検出すべきエリアの位置を変更したり、このエリアの大きさを拡大又は縮小させることができる。
【０１０３】
顔ガイド枠６ｃ及び顔パーツの位置又は大きさの変更は、十字キー、スライドバー、又は釦等の操作によって行われるように構成されても良い。
【０１０４】
ステップＳ４０４において、制御部１０は、スルー画から顔を検出する。ステップＳ４０５において、制御部１０は、顔ガイド枠６ｃの大きさに合った顔が検出されたか否かを判定する。ステップＳ４０５において、顔ガイド枠６ｃの大きさに合った顔が検出されなかったと判定されたとき、処理がステップＳ４０６に進む。制御部１０は、ステップＳ４０６において、戻るアイコン６ｄがタッチされたか否かを判定する。ステップＳ４０６において、戻るアイコン６ｄがタッチされなかったと判定されたとき、処理がステップＳ４０１に戻る。ステップＳ４０６において、戻るアイコン６ｄがタッチされたと判定されたとき、肌チェックモード処理が終了する。一方、ステップＳ４０５において、顔ガイド枠６ｃの大きさに合った顔が検出されたと判定されたとき、処理がステップＳ４０７に進む。ステップＳ４０７において、制御部１０の顔判定部１０ａは、顔パーツを検出する。
【０１０５】
ステップＳ４０８において、制御部１０は、顔判定部１０ａにより検出された顔パーツのうち１つの顔パーツにフォーカスが合うようにフォーカス位置の設定を更新する。その後、ステップＳ４０９において、制御部１０は、フォーカス位置の設定に応じて、フォーカス変更部３にフォーカス位置を変更させる。
【０１０６】
ステップＳ４１０において、制御部１０は、撮像部２に撮影を実行させる。ステップＳ４１１において、制御部１０は、取得された画像データから、フォーカス位置の設定に対応する顔パーツの部分を抽出する。ステップＳ４１２において、制御部１０は、抽出された顔パーツについて、肌状態の判定を行う。
【０１０７】
ステップＳ４１３において、制御部１０は、検出された全ての顔パーツの肌状態の判定が終了しているか否かを判定する。ステップＳ４１３において、全ての顔パーツの顔パーツ判定が終了していないと判定されたとき、処理がステップＳ４０８に戻る。その後、顔パーツ判定が終了していない顔パーツに対して、ステップＳ４０８乃至ステップＳ４１３に係る処理を繰り返す。一方、ステップＳ４１３において、全ての顔パーツの顔パーツ判定が終了していると判定されたとき、処理がステップＳ４１４に進む。
【０１０８】
ステップＳ４１４において、制御部１０は、顔画像と、全ての顔パーツの顔パーツ判定の結果とを表示パネル６に表示する。ステップＳ４１５において、制御部１０は、戻るアイコン６ｄがタッチされたか、又は、顔Ａａが変化したか否かを判定する。ステップＳ４１５において、戻るアイコン６ｄがタッチされなかったと判定されたとき、及び、顔Ａａが変化しなかったと判定されたとき、処理がステップＳ４１４に戻る。一方、ステップＳ４１５において、戻るアイコン６ｄがタッチされたとき、又は、顔Ａａが変化したと判定されたとき、処理がステップＳ４１６に進む。
【０１０９】
ステップＳ４１６において、制御部１０は、顔ガイド枠６ｃ及び、顔パーツ判定の結果の表示をクリアする。ステップＳ４１６の後、本実施形態に係る肌チェックモード処理が終了する。
【０１１０】
以上、本実施形態に係る撮像装置１では、タッチパネル４を操作して、表示パネル６に表示された顔ガイド枠６ｃの位置及び大きさを変更させることを特徴とする。この操作により、ユーザは、顔ガイド枠６ｃと、ユーザの顔Ａａの位置とを合わせ易くなり、撮像装置１に顔パーツを検出させ易くなる。また、本実施形態では、顔パーツが検出されるべき領域がユーザによって指定され得る。その結果、顔パーツの検出が正確に行われ得る。
【０１１１】
なお、上述した実施形態における撮像装置１による各処理は、何れも実行させることができるプログラムとして記憶しても良い。このプログラムは、メモリカード（ＲＯＭカード、ＲＡＭカード等）、磁気ディスク（フロッピー（登録商標）ディスク、ハードディスク等）、光ディスク（ＣＤ−ＲＯＭ、ＤＶＤ等）、半導体メモリ等の外部記憶装置の記憶媒体に記憶されたプログラムを読み込み、この読み込んだプログラムによって動作が制御されることにより、上述した処理を実行することができる。
【符号の説明】
【０１１２】
１…撮像装置、  ２…撮像部、  ２ａ…レンズ、  ２ｂ…撮像素子、  ３…フォーカス変更部、  ４…タッチパネル、  ５…記録部、  ５ａ…画像データベース、  ６…表示パネル、  ６ａ…パラメータ設定のアイコン、  ６ｂ…肌チェックモードのアイコン、  ６ｃ、６ｇａ…顔ガイド枠、  ６ｃａ…額パーツ、  ６ｃｂａ…右瞼パーツ、  ６ｃｂｂ…左瞼パーツ、  ６ｃｃａ…右目尻パーツ、  ６ｃｃｂ…左目尻パーツ、  ６ｃｄ…鼻パーツ、  ６ｃｅａ…右鼻翼パーツ、  ６ｃｅｂ…左鼻翼パーツ、  ６ｃｆａ…右頬パーツ、  ６ｃｆｂ…左頬パーツ、  ６ｄ…戻るアイコン、  ６ｅ…肌画像サンプル、  ６ｆ…テキスト表示、  ６ｇ…スルー画画面、  ６ｈ…判定画面、  ６ｉ…肌状態パーツ、  ７…操作部、  ８…姿勢検出部、  １０…制御部、  １０ａ…顔判定部、  １０ｂ…フォーカス制御部、  １０ｃ…パターン判定部、  １０ｄ…記録制御部、  １０ｅ…操作判定部、  １０ｆ…表示制御部、  １０ｇ…表示方向判定部、  ２１…カメラ本体、  ２２…表示パネル、  ２３…レリーズスイッチ、  ２５…ヒンジ、  ２６…前面スイッチ。
【図１】
0006406966.tif 000002
【図２】
0006406966.tif 000003
【図３】
0006406966.tif 000004
【図４】
0006406966.tif 000005
【図５】
0006406966.tif 000006
【図６】
0006406966.tif 000007
【図７】
0006406966.tif 000008
【図８】
0006406966.tif 000009
【図９】
0006406966.tif 000010
【図１０】
0006406966.tif 000011
【図１１】
0006406966.tif 000012
【図１２】
0006406966.tif 000013
【図１３】
0006406966.tif 000014
【図１４】
0006406966.tif 000015
【図１５】
0006406966.tif 000016